(57)【要約】【課題】災害地域、キャンプ場、田畑、山中、小さな波止場等の電源が確保できない場所に於ても使用することができ至便な移動式洗浄機を提供する。【解決手段】走行輪１を下部に有する箱体２と、先端に噴射ノズル３を有する噴射洗浄ガン４と、箱体２から外方延伸状として設けられて噴射洗浄ガン４に連結される高圧ホース５とを、備えた移動式洗浄機に於て、外部から電気が供給されず、箱体２内に設けたエンジン６と発電機７にて発生する電気を外部へ接続取出自在なコンセント13を、箱体２の外面14に露出状乃至露出可能として設ける。【選択図】図１
2018083166.tif 000002
【特許請求の範囲】
【請求項１】
走行輪（１）を下部に有する箱体（２）と、先端に噴射ノズル（３）を有する噴射洗浄ガン（４）と、上記箱体（２）から外方延伸状として設けられて上記噴射洗浄ガン（４）に連結される高圧ホース（５）とを、備えた移動式洗浄機に於て、
外部から電気が供給されず、上記箱体（２）内に設けたエンジン（６）と発電機（７）にて発生する電気を外部へ接続取出自在なコンセント（13）を、上記箱体（２）の外面（14）に露出状乃至露出可能として設けたことを特徴とする移動式洗浄機。
【請求項２】
上記エンジン（６）と、上記エンジン（６）にて回転駆動される上記発電機（７）と、ボイラー（８）と、該ボイラー（８）内の水を昇温させるバーナー（９）と、上記エンジン（６）にて回転駆動されると共に上記ボイラー（８）内の水乃至温水を上記高圧ホース（５）を介して上記噴射洗浄ガン（４）に供給する高圧ポンプ（10）と、上記エンジン用の第１燃料タンク（11）と、上記バーナー用の第２燃料タンク（12）とを、上記箱体（２）に内蔵した請求項１記載の移動式洗浄機。
【請求項３】
上記エンジン（６）のシリンダ（15）の発熱部（16）の近傍に、水供給管（17）の一部位を配設し、該水供給管（17）の一部位にて上記発熱部（16）からの排熱を吸収させて内部の供給水を予備加熱してから、上記ボイラー（８）に供給するように構成した請求項２記載の移動式洗浄機。
【請求項４】
上記エンジン（６）と上記ボイラー（８）の燃料を同一種類に設定して、上記第１燃料タンク（11）と第２燃料タンク（12）とを、一個の共用タンクとした請求項１記載の移動式洗浄機。
【請求項５】
上記箱体（２）の外面（14）に露出状とした上記コンセント（13）から、電気配線コード（19）を介して、上記箱体（２）の外部に配設した電動式取水ポンプ（18）の電気モータに、接続し、上記取水ポンプ（18）によって水源（Ｗ）の水を、上記ボイラー（８）に供給可能とした請求項２又は３記載の移動式洗浄機。
【請求項６】
上記箱体（２）の外面（14）に蛇口（20）を付設すると共に、上記ボイラー（８）内の湯水を吐出可能とした請求項２，３，４又は５記載の移動式洗浄機。
【発明の詳細な説明】
【技術分野】
【０００１】
本発明は、移動式洗浄機に関する。
【背景技術】
【０００２】
従来、車や建物等の被洗浄物体を洗浄するための移動式洗浄機は、電源からとった電気により、モータ及びポンプを駆動させ、上記被洗浄物体に向けて噴射洗浄ガンから高圧水を噴射させるものである（例えば、特許文献１参照）。
【０００３】
しかし、地震・津波・噴火等の災害地域、あるいは、キャンプ場、田畑、山中、波止場等の電源がない場所では使用することができないという欠点があった。
【先行技術文献】
【特許文献】
【０００４】
【特許文献１】特開２００７−４４６０３号公報
【発明の概要】
【発明が解決しようとする課題】
【０００５】
解決しようとする課題は、災害地域、キャンプ場、田畑、山中、小さな波止場等の電源のない場所では使用することができない点である。
【課題を解決するための手段】
【０００６】
そこで、本発明に係る移動式洗浄機は、走行輪を下部に有する箱体と、先端に噴射ノズルを有する噴射洗浄ガンと、上記箱体から外方延伸状として設けられて上記噴射洗浄ガンに連結される高圧ホースとを、備えた移動式洗浄機に於て、外部から電気が供給されず、上記箱体内に設けたエンジンと発電機にて発生する電気を外部へ接続取出自在なコンセントを、上記箱体の外面に露出状乃至露出可能として設けたものである。
【０００７】
また、上記エンジンと、上記エンジンにて回転駆動される上記発電機と、ボイラーと、該ボイラー内の水を昇温させるバーナーと、上記エンジンに回転駆動されると共に上記ボイラー内の水乃至温水を上記高圧ホースを介して上記噴射洗浄ガンに供給する高圧ポンプと、上記エンジン用の第１燃料タンクと、上記バーナー用の第２燃料タンクとを、上記箱体に内蔵したものである。
また、上記エンジンのシリンダの発熱部の近傍に、水供給管の一部位を配設し、該水供給管の一部位にて上記発熱部からの排熱を吸収させて内部の供給水を予備加熱してから、上記ボイラーに供給するように構成したものである。
【０００８】
また、上記エンジンと上記ボイラーの燃料を同一種類に設定して、上記第１燃料タンクと第２燃料タンクとを、一個の共用タンクとしたものである。
また、上記箱体の外面に露出状とした上記コンセントから、電気配線コードを介して、上記箱体の外部に配設した電動式取水ポンプの電気モータに、接続し、上記取水ポンプによって水源の水を、上記ボイラーに供給可能としたものである。
また、上記箱体の外面に蛇口を付設すると共に、上記ボイラー内の湯水を吐出可能としたものである。
【発明の効果】
【０００９】
本発明の移動式洗浄機によれば、災害地域、キャンプ場、田畑、山中、小さな波止場等の電源が確保できない場所に於ても使用することができ至便である。特に、地震・津波・噴火等の災害地域に於て、電源が使用不可能な状況下でも、粉塵・土砂・泥等を洗浄除去することも可能である。
【図面の簡単な説明】
【００１０】
【図１】本発明の実施の一形態を示す一部省略正面図である。
【図２】一部省略分解図である。
【図３】正面図である。
【図４】背面図である。
【図５】右側面図である。
【図６】他の実施例を示した要部構成説明図である。
【図７】使用状態を示す説明図である。
【発明を実施するための形態】
【００１１】
以下、図示の実施の形態に基づいて本発明を詳説する。
図１〜図５は、本発明の実施の一形態を示す。この移動式洗浄機は、車や建物等を湯水で洗浄するために用いられ、特に、電源が確保できない場所に於ても使用することができる。走行輪１を下部に有する直方体形の箱体２と、先端に噴射ノズル３を有する噴射洗浄ガン４と、箱体２から外方延伸状として設けられて噴射洗浄ガン４に連結される高圧ホース５とを、備える。
【００１２】
エンジン６が、箱体２に内蔵される。７はエンジン６にて回転駆動される発電機を示す。８はボイラーを示し、９はボイラー８内の水を昇温させるバーナーを示す。10は、エンジンにて回転駆動されると共にボイラー内の水乃至温水を高圧ホース５を介して噴射洗浄ガン４に供給する高圧ポンプを示す。11はエンジン用の第１燃料タンクを示し、12はバーナー用の第２燃料タンクを示す。第２燃料タンク12は、箱体２の横断面に近い形状（すなわち、前後上下に大きく左右に薄い偏平形状）とされ、箱体２の内部空間にコンパクトに収納・設置でき、かつ、組立て容易である。第１燃料タンク11には、ガソリン、軽油等を入れ、第２燃料タンク12には、灯油、軽油等を入れる。発電機７、ボイラー８、バーナー９、高圧ポンプ10、第１燃料タンク11、第２燃料タンク12が、箱体２に内蔵される。図２では、発電機７を図示省略している。
【００１３】
外部から電気が供給されず、箱体２内に設けたエンジン６と発電機７にて発生する電気を外部へ接続取出自在なコンセント13が、箱体２の外面14に露出状として設けられる。発電機７で作られた電気は、バッテリー22に蓄えられ、インバータ23にて交流に変換され、コンセント13から取出自在とされる。また、発電機７で作られた電気は、バーナー９へも送られる。
【００１４】
図６に示すように、エンジン６の発熱部16（例えば、シリンダ15のフィン24、図示省略の排気パイプ等）の近傍に、（図１・図２等に示した高圧ポンプ10からの）水供給管17の一部位を（例えばコイル状に）配設する。すなわち、水供給管17の一部位にて発熱部16からの排熱を吸収させて内部の供給水を予備加熱してから、ボイラー８に供給するように構成される。
【００１５】
図１〜図５に戻って、箱体２の外面14に蛇口20が付設されると共に、ボイラー８内の湯水が吐出可能とされる。すなわち、ボイラー８内の湯水は、噴射洗浄ガン４から噴射することができるとともに、蛇口20から吐出することもできる。
【００１６】
次に、ボイラー８への水の供給方法の一例について説明すると、例えば、図７に示すように、箱体２の外部に電動式取水ポンプ18を配設し、箱体２の外面14のコンセント13に、電気配線コード19が接続されると共に、電気配線コード19が取水ポンプ18の電気モータ（図示省略）に接続され、取水ポンプ18によって水源Ｗの水を、ボイラー８に供給可能とされる。水源Ｗが洗浄機より低位置にある場合、タンク21を介在させて多めの水を入れておくのが好ましい。なお、取水ポンプ18によらずに、バケツや小型タンクに入った水を直接ボイラー８に入れて使用することもできる。
【００１７】
なお、本発明は、設計変更可能であって、例えば、コンセント13が、箱体２の外面14に露出可能として設けられるも良い。このカバーを開けば、コンセント（13）は外部へ露出状となる。すなわち、コンセント13を被覆状に、開閉自在なカバーを設けるも良い。また、エンジン６とボイラー８の燃料を同一種類（例えば軽油）に設定し、第１燃料タンク11と第２燃料タンク12とを、一個の共用タンクとするも良い。部品点数の低減を図り、かつ、全体のコンパクト化を図り得る。また、ボイラー８への供給水を予備加熱する構成を省略しても良い。
【００１８】
以上のように、本発明は、走行輪１を下部に有する箱体２と、先端に噴射ノズル３を有する噴射洗浄ガン４と、上記箱体２から外方延伸状として設けられて上記噴射洗浄ガン４に連結される高圧ホース５とを、備えた移動式洗浄機に於て、外部から電気が供給されず、上記箱体２内に設けたエンジン６と発電機７にて発生する電気を外部へ接続取出自在なコンセント13を、上記箱体２の外面14に露出状乃至露出可能として設けたので、災害地域、キャンプ場、田畑、山中、小さな波止場等の電源が確保できない場所に於ても、水源Ｗさえあれば、使用することができ至便である。特に、地震・津波・噴火等の災害地域に於て、電源が使用不可能な状況下でも、粉塵・土砂・泥等を洗浄除去することも可能である。コンセント13に暖房機や湯沸器、その他の様々な電気機器を接続して、各電気機器を使用することができる。
【００１９】
また、上記エンジン６と、上記エンジン６にて回転駆動される上記発電機７と、ボイラー８と、該ボイラー８内の水を昇温させるバーナー９と、上記エンジン６にて回転駆動されると共に上記ボイラー８内の水乃至温水を上記高圧ホース５を介して上記噴射洗浄ガン４に供給する高圧ポンプ10と、上記エンジン用の第１燃料タンク11と、上記バーナー用の第２燃料タンク12とを、上記箱体２に内蔵したので、全体容積がコンパクトとなり、取扱いが容易である。また、噴射洗浄ガン４からの湯によって、被洗浄体に付着した油等を能率的に落とすことができる。
【００２０】
また、上記エンジン６のシリンダ15の発熱部16の近傍に、水供給管17の一部位を配設し、該水供給管17の一部位にて上記発熱部16からの排熱を吸収させて内部の供給水を予備加熱してから、上記ボイラー８に供給するように構成したので、バーナー９の燃料使用量を軽減できる。
【００２１】
また、上記エンジン６と上記ボイラー８の燃料を同一種類に設定して、上記第１燃料タンク11と第２燃料タンク12とを、一個の共用タンクとしたので、構造の簡素化を図り得ると共に、全体容積のコンパクト化をも図り得る。また、燃料の補充作業回数も低減可能である。
【００２２】
また、上記箱体２の外面14に露出状とした上記コンセント13から、電気配線コード19を介して、上記箱体２の外部に配設した電動式取水ポンプ18の電気モータに、接続し、上記取水ポンプ18によって水源Ｗの水を、上記ボイラー８に供給可能としたので、低地にある水源Ｗや、遠く離れた水源Ｗからも、ボイラー８に水を供給することができる。従って、被災地等では有効である。
【００２３】
また、上記箱体２の外面14に蛇口20を付設すると共に、上記ボイラー８内の湯水を吐出可能としたので、電源のない被災地等に於て、湯水を使用することができ、至便である。
【符号の説明】
【００２４】
１  走行輪
２  箱体
３  噴射ノズル
４  噴射洗浄ガン
５  高圧ホース
６  エンジン
７  発電機
８  ボイラー
９  バーナー
10  高圧ポンプ
11  第１燃料タンク
12  第２燃料タンク
13  コンセント
14  外面
15  シリンダ
16  発熱部
17  水供給管
18  （電動式）取水ポンプ
19  電気配線コード
20  蛇口
Ｗ  水源
【図１】
2018083166.tif 000003
【図２】
2018083166.tif 000004
【図３】
2018083166.tif 000005
【図４】
2018083166.tif 000006
【図５】
2018083166.tif 000007
【図６】
2018083166.tif 000008
【図７】
2018083166.tif 000009